(57)【特許請求の範囲】
【請求項１】
遊技盤ユニットを取り付け可能な本体ユニットと、
前記本体ユニットの前方側に張り出して配置された受け皿ユニットと、
前記受け皿ユニットの前方側に張り出して配置された操作部材とを備え、
前記受け皿ユニットは、
前方下部側の少なくとも一部が前方側の先端よりも後方側に後退して配置されており、この後退によって前記操作部材を配置する前記受け皿ユニットの下方に形成される遊技球貯留空間の出入口の大きさを拡大しており、
前記受け皿ユニットは、
遊技球を貯留する貯留部を含み、
前記貯留部は、
前記操作部材の設置に応じて少なくとも一部が窪んでいることを特徴とする遊技機。
【請求項２】
遊技盤ユニットを取り付け可能な本体ユニットと、
前記本体ユニットの前方側に張り出して配置された受け皿ユニットと、
前記受け皿ユニットの前方側に張り出して配置された操作部材とを備え、
前記受け皿ユニットは、
前方下部側の少なくとも一部が前方側の先端よりも後方側に後退して配置されており、この後退によって前記操作部材を配置する前記受け皿ユニットの下方に形成される遊技球貯留空間の出入口の大きさを拡大しており、
前記受け皿ユニットは、
遊技球を貯留する貯留部を含み、
前記操作部材は、
第１操作体、及び、前記第１操作体から所定の間隔を隔てて前記第１操作体の周囲の少なくとも一部に配置される第２操作体を含み、
前記第１操作体及び前記第２操作体は、
正面視で前記貯留部と少なくとも一部が重なる位置に配置されていることを特徴とする遊技機。
【請求項３】
遊技盤ユニットを取り付け可能な本体ユニットと、
前記本体ユニットの前方側に張り出して配置された受け皿ユニットと、
前記受け皿ユニットの前方側に張り出して配置された操作部材とを備え、
前記受け皿ユニットは、
前方下部側の少なくとも一部が前方側の先端よりも後方側に後退して配置されており、この後退によって前記操作部材を配置する前記受け皿ユニットの下方に形成される遊技球貯留空間の出入口の大きさを拡大しており、
前記受け皿ユニットは、
遊技球の貯留を解除する球抜きボタンを備え、
前記球抜きボタンは、
少なくとも一部が、前記受け皿ユニットの後方側に後退している部分に略同一面となるように配置されていることを特徴とする遊技機。
【発明の詳細な説明】
【技術分野】
【０００１】
本発明は、遊技球を貯留する受け皿ユニットが配置された遊技機に関する。
【背景技術】
【０００２】
従来、この種の遊技機として、遊技者が球受け箱（ドル箱）に容易にアクセスすることができる遊技機が開示されている（例えば、特許文献１）。
具体的には、特許文献１の遊技機は、遊技球を貯留する下皿と遊技機本体から前面側に突出して設けられた下皿を含む突出部とを備えており、突出部の前面側の下部には、突出部の下方に置かれた下皿から排出された遊技球を収納する玉箱と突出部との間に、遊技者が手を挿入するための空間を確保する切り欠きが設けられている。
【先行技術文献】
【特許文献】
【０００３】
【特許文献１】特開２０１２−２１７６３４号公報
【発明の概要】
【発明が解決しようとする課題】
【０００４】
特許文献１の遊技機によれば、突出部に切り欠きを設けているため、遊技者が突出部と賞球箱との間に手を挿入することにより、賞球箱内の遊技球の偏在を容易に修正することができる。
【０００５】
しかし、特許文献１の遊技機のように、突出部（受け皿ユニット）に切り欠きを設けてしまうと、その分突出部の大きさが小さくなるため、大きな突出部を維持することができないという問題がある。
また、突出部には下皿が設けられているため、突出部に切り欠きを設けてしまうと、下皿の遊技球の貯留量が減少してしまうという問題がある。
さらに、突出部に切り欠きを設けると、そこは何もない空間となるため、遊技者が手を挿入しない間は、単なる無駄なスペースとなってしまう可能性がある。
【０００６】
さらにまた、突出部としての受け皿ユニットに対して大型の操作部材を設置する場合、従来機と比較して受け皿ユニットは前方側に張り出して配置されることになる。そして、受け皿ユニットを前方側に張り出して配置すると、受け皿ユニットの下方に配置した球受け箱の大部分が、受け皿ユニットの迫り出しによって隠れてしまい、球受け箱に手を挿入し難くなったり、球受け箱から遊技球を取り出し難くなる（球受け箱へのアクセス性が低下する）という問題がある。
【０００７】
そこで本発明は、受け皿ユニットや操作部材を前方側に張り出して配置しても、球受け箱へのアクセス性が低下することを軽減することができる技術の提供を課題とする。
【課題を解決するための手段】
【０００８】
本発明は、上記の課題を解決するため以下の手段を採用する。なお、以下に示す括弧書中の文言はあくまで例示であり、本発明はこれに限定されるものではない。
解決手段１：本解決手段の遊技機は、遊技盤ユニットを取り付け可能な本体ユニットと、前記本体ユニットの前面から前方側に張り出して配置された受け皿ユニットと、前記受け皿ユニットの前面から前方側に張り出して配置された操作部材とを備え、前記受け皿ユニットは、前方下部側の少なくとも一部が前方側の先端よりも後方側に後退して配置されており、この後退によって前方側に張り出して配置された前記操作部材を配置する前記受け皿ユニットの下方に形成される遊技球貯留空間の出入口の大きさを拡大していることを特徴とする遊技機である。
【０００９】
本解決手段の遊技機は、以下の構成を備えている。
（１）遊技盤ユニット（遊技盤）を取り付け可能な本体ユニットが設けられている。本体ユニットは、例えば一体扉ユニット及び内枠アセンブリである。
（２）上記（１）の本体ユニットの前面から前方側に張り出して配置された受け皿ユニットが設けられている。受け皿ユニットは、少なくとも１つの遊技球貯留皿を含み、例えば上皿及び下皿等を含む。
（３）上記（２）の受け皿ユニットの前面から前方側に張り出して配置された操作部材が設けられている。操作部材は、演出用の操作ユニットであり、例えばプッシュボタンや演出用の操作部材である。
【００１０】
（４）そして、上記（２）の受け皿ユニットは、前方下部側の少なくとも一部（例えば、前方下部側の側面の少なくとも一部）が前方側の先端よりも後方側に後退して配置されており、この後退によって前方側に張り出して配置された上記（３）の操作部材を配置する上記（２）の受け皿ユニットの下方に形成される遊技球貯留空間（球受け箱の内部空間）の出入口（球受け箱の壁と受け皿ユニットの前方下端部との間に形成された遊技球の取出口及び挿入口）の大きさを拡大している。なお、前方下部側の少なくとも一部は、後退のさせやすさ及び後退領域を広く確保する観点から、受け皿ユニットの側面を含んでいることが好ましい。また、側面とは、受け皿ユニットの上面（例えば遊技球を貯留する受け皿がある面）と底面（例えば遊技球を抜く孔がある面）との間にある面（例えば球抜きボタンが配置されている部分を含む面）である。さらに、前方下部側の少なくとも一部は、受け皿ユニットの底面を含んでいてもよい。
【００１１】
このように、本解決手段によれば、受け皿ユニットの前方下部側の少なくとも一部を後方側に後退して配置しているため、受け皿ユニットに切り欠きを設ける方式と比較して、受け皿ユニットの大きさを極力維持することができる。そして、受け皿ユニットの大きさを維持することにより、遊技球の貯留量が減少してしまうことを軽減させることができる。
【００１２】
また、受け皿ユニットの前方下部側の少なくとも一部は、切り欠きによって無くなっているのではなく、後方側に後退して存在しているため、後退して存在している受け皿ユニットの前方下部側の少なくとも一部に所望の部品を取り付けることができ、無駄なスペースが形成されることを回避することができる。
【００１３】
さらに、受け皿ユニットに対して大型の操作部材を設置する場合、従来機と比較して受け皿ユニットや操作部材は、前方側に張り出して配置されることになるが、本解決手段では受け皿ユニットの前方下部側の少なくとも一部を後方側に後退して配置しているため、受け皿ユニットや操作部材を前方側に張り出して配置しても、受け皿ユニットの下方に配置した球受け箱の大部分が、受け皿ユニットの迫り出しによって隠れてしまうことがなくなる。これにより、球受け箱に手を挿入しやすく、かつ、球受け箱から遊技球を取り出し易くなる（球受け箱へのアクセス性が向上する）という効果が得られる。
【００１４】
解決手段２：本解決手段の遊技機は、解決手段１において、前記受け皿ユニットは、後方側に後退している部分に、下部側に向かうにつれて後方側への後退量が増加する傾斜面を有することを特徴とする遊技機である。
【００１５】
本解決手段では、受け皿ユニットは、後方側に後退している部分に、下部側に向かうにつれて後方側への後退量が増加する傾斜面を有する。すなわち、傾斜面は、受け皿ユニットの下部側に進むにつれて、前方側から後方側に後退していく傾斜面となる。
【００１６】
このように、本解決手段によれば、受け皿ユニットの前方下部側の後退は、単なる後退ではなく、傾斜面を利用した後退となるため、受け皿ユニットの前方下部側の少なくとも一部を段階的に後退させることができ、遊技者の手の出し入れがスムーズとなることから球受け箱へのアクセス性が向上し、受け皿ユニットに切り欠きを設ける方式と比較して、受け皿ユニットの非後退部分との一体感も向上させることができる。
【００１７】
解決手段３：本解決手段の遊技機は、解決手段２において、前記操作部材は、前記受け皿ユニットに対して鉛直方向を基準とした所定の角度を付けて配置されており、前記傾斜面は、前記受け皿ユニットに対して前記所定の角度に合わせた角度で傾斜していることを特徴とする遊技機である。
【００１８】
本解決手段の遊技機には、以下の特徴が追加される。
（１）操作部材は、受け皿ユニットに対して鉛直方向（水平方向に直交する垂直方向）を基準とした所定の角度を付けて配置されている。例えば、受け皿ユニットが垂直に配置されているとすれば、操作部材は鉛直方向を基準として４０度程度傾けて配置されている。
（２）傾斜面は、受け皿ユニットに対して上記（１）の所定の角度に合わせた角度（例えば３０度から５０度程度）で傾斜している。
【００１９】
本解決手段によれば、操作部材は、受け皿ユニットに対して鉛直方向を基準とした所定の角度を付けて配置されているため、所定の角度によって操作部材の正面が遊技者の方向を向くようになり、操作部材の操作性を向上させることができる。
【００２０】
また、傾斜面は、所定の角度に合わせた角度で傾斜しているため、操作部材の傾きと傾斜面との傾きが一致していることになり、操作部材の縁に沿って遊技者が手を伸ばしても、遊技者の手はそのまま傾斜面の傾斜によって自然に球受け箱まで案内されることになり、球受け箱へのアクセス性が一層向上する。また、意匠的にも一体感のある操作部材と傾斜面とによる構造物を形成することができる。
【００２１】
解決手段４：本解決手段の遊技機は、解決手段２又は３において、前記操作部材は、前記受け皿ユニットに対して鉛直方向を基準とした所定の角度を付けて配置されており、前記傾斜面は、前記受け皿ユニットに対して前記所定の角度よりも小さい角度で傾斜していることを特徴とする遊技機である。
【００２２】
本解決手段の遊技機には、以下の特徴が追加される。
（１）操作部材は、受け皿ユニットに対して鉛直方向を基準とした所定の角度を付けて配置されている。例えば、受け皿ユニットが垂直に配置されているとすれば、操作部材は鉛直方向を基準として４０度程度傾けて配置されている。
（２）傾斜面は、受け皿ユニットに対して上記（１）の所定の角度よりも小さい角度（例えば３０度程度）で傾斜している。
【００２３】
本解決手段では、傾斜面は、操作部材が傾斜する角度よりも小さい角度で傾斜している。このため、操作部材は大きく傾斜し、傾斜面は操作部材よりも小さく傾斜することになる。これにより、操作部材を遊技者にとって視認しやすい角度で傾斜させることができるだけでなく、傾斜面を操作部材と同じ角度だけ傾斜させる場合と比較して、傾斜面の先端をより後方側に近づけることができることから、傾斜面の前方側への突出を抑制することができ、球受け箱へのアクセス性をより向上させることができる。
【００２４】
解決手段５：本解決手段の遊技機は、解決手段２から４のいずれかにおいて、前記傾斜面は、前記操作部材の前方側の端部を前記操作部材の軸方向に沿う方向に延長した仮想延長線上又は前記仮想延長線よりも後方側に配置されていることを特徴とする遊技機である。
【００２５】
本解決手段では、傾斜面は、操作部材の前方側の端部を操作部材の軸方向に沿う方向に延長した仮想延長線上又は仮想延長線よりも後方側に配置されているため、遊技者が操作部材の傾斜に沿って手を伸ばした場合には、遊技者の手が傾斜面に当たることがなくなる。これにより、球受け箱へのアクセス性が一層向上する。
【００２６】
解決手段６：本解決手段の遊技機は、解決手段２から５のいずれかにおいて、前記受け皿ユニットは、遊技球の貯留を解除する球抜きボタンを備え、前記球抜きボタンは、少なくとも一部が前記傾斜面に跨って配置されており、前記球抜きボタンの前記傾斜面に跨っている部分は、少なくとも一部が前記傾斜面と同一平面上に配置されていることを特徴とする遊技機である。
【００２７】
本解決手段の遊技機には、以下の特徴が追加される。
（１）受け皿ユニットは、遊技球の貯留を解除する球抜きボタンを備える。
（２）上記（１）の球抜きボタンは、少なくとも一部が傾斜面に跨って配置されている。
（３）上記（２）の球抜きボタンの傾斜面に跨っている部分は、少なくとも一部が傾斜面と同一平面上（おおむね同一平面上も含む）に配置されている。
【００２８】
本解決手段によれば、球抜きボタンの傾斜面に跨っている部分は、少なくとも一部が傾斜面と同一平面上に配置されているため、球抜きボタンの表面と傾斜面の表面とが面一の状態となる。これにより、球受け箱へのアクセス時に、不用意に球抜きボタンを押下してしまうということがなくなり、球抜きボタンの誤操作を回避することができるという効果が得られる。
【００２９】
その他の解決手段：本解決手段の遊技機は、上記のいずれかの解決手段において、前記傾斜面は、上方に１つの角を有し、下方に２つの角を有する三角形形状を含む面であることを特徴とする遊技機である。
【００３０】
本解決手段では、傾斜面は、上方に１つの角を有し、下方に２つの角を有する三角形形状を含む面であるため、傾斜面の裾が広がっている形状となり、遊技者の手の挿入時は挿入方向の拡張性（進入方向の広がり具合）を向上させ、取り出し時には取り出し方向の安定性（頂点方向への案内性）を向上させることができる。
【００３１】
その他の解決手段：本解決手段の遊技機は、上記のいずれかの解決手段において、前記受け皿ユニットは、遊技球を貯留する貯留部を含み、前記操作部材は、中央に配置される第１操作体、及び、前記第１操作体から所定の間隔を隔てて前記第１操作体の周囲の少なくとも一部に配置される第２操作体を含み、前記第１操作体及び前記第２操作体は、正面視で前記貯留部と少なくとも一部が重なる位置に配置されていることを特徴とする遊技機である。
【００３２】
本解決手段の遊技機には、以下の特徴が追加される。
（１）受け皿ユニットは、遊技球を貯留する貯留部（例えば、上皿）を含む。
（２）操作部材は、中央に配置される第１操作体、及び、第１操作体から所定の間隔を隔てて第１操作体の周囲の少なくとも一部に配置される第２操作体を含む。第２操作体は、例えば、円形のハンドルが該当し、円形のハンドルの一部が欠けているもの等も該当する。
（３）上記（２）の第１操作体及び第２操作体は、正面視で上記（１）の貯留部と少なくとも一部が重なる位置に配置されている。なお、第１操作体又は第２操作体のいずれか一方が、正面視で上記（１）の貯留部と少なくとも一部が重なる位置に配置されている態様であってもよい。すなわち、操作部材の一部が正面視で上記（１）の貯留部と重なる位置に配置されている態様であってもよい。
【００３３】
このように、本解決手段によれば、第１操作体だけでなく、第２操作体も、正面視で貯留部と少なくとも一部が重なる位置に配置されているため、操作部材はそれだけ大型の操作部材となる。そして、このような大型の操作部材を配置するためには、受け皿ユニットもそれなりに大型の受け皿ユニットとなる。
【００３４】
そして、上述した解決手段で説明したように、受け皿ユニットの前方下部側の少なくとも一部は、後方側に後退して配置しているため、本解決手段のように大型の受け皿ユニットや大型の操作部材を前方側に張り出して配置しても、球受け箱へのアクセス性が低下することを軽減することができる。
【００３５】
その他の解決手段：本解決手段の遊技機は、上記のいずれかの解決手段において、前記受け皿ユニットは、前記操作部材の設置に応じて少なくとも一部が後方側に窪んでおり、この窪みによって前記操作部材の操作空間を確保していることを特徴とする遊技機である。
【００３６】
本解決手段の遊技機では、受け皿ユニットは、操作部材の設置に応じて少なくとも一部が後方側に窪んでおり（操作部材の一部の部位に対応する部分が後方側に窪んでおり）、この窪みによって操作部材の操作空間を確保している。このように、受け皿ユニットに対して窪みを形成しなければならないということは、操作部材はそれだけ大型の操作部材となる。そして、このような大型の操作部材を配置するためには、受け皿ユニットもそれなりに大型の受け皿ユニットとなる。
【００３７】
そして、上述した解決手段で説明したように、受け皿ユニットの前方下部側の少なくとも一部は、後方側に後退して配置しているため、本解決手段のように大型の受け皿ユニットや大型の操作部材を前方側に張り出して配置しても、球受け箱へのアクセス性が低下することを軽減することができる。
【発明の効果】
【００３８】
本発明によれば、球受け箱へのアクセス性が低下することを軽減することができる。
【図面の簡単な説明】
【００３９】
【図１】パチンコ機の正面図である。
【図２】パチンコ機の右側面図である。
【図３】受け皿ユニットの部位を拡大して示した斜視図である。
【図４】受け皿ユニットの部位を拡大して示した斜視図である。
【図５】受け皿ユニットの分解斜視図である。
【図６】受け皿ユニットの中心部分の縦断面図（図１中のＶＩ−ＶＩ線に沿う断面図）である。
【図７】実施形態のパチンコ機にて遊技者が球受け箱に手を伸ばす際の様子を示す図である。
【図８】比較例のパチンコ機にて遊技者が球受け箱に手を伸ばす際の様子を示す図である。
【図９】受け皿ユニット付近を左斜め下方からみた斜視図である。
【図１０】受け皿ユニットの第１変形形態について説明する図である。
【図１１】受け皿ユニットの第２変形形態について説明する図である。
【発明を実施するための形態】
【００４０】
以下、本発明の実施形態について、図面を参照しながら説明する。なお、以下の実施形態で示す遊技機は好ましい例示であり、本発明はこの例示に限定されるものではない。
【００４１】
図１は、パチンコ遊技機（以下、「パチンコ機」と略称する。）１の正面図である。また、図２は、パチンコ機１の右側面図である。パチンコ機１は、遊技球を遊技媒体として用いるものであり、遊技者は、遊技場運営者から遊技球を借り受けてパチンコ機１による遊技を行う。なお、パチンコ機１における遊技において、遊技球はその１個１個が遊技価値を有した媒体であり、遊技の成果として遊技者が享受する特典（利益）は、例えば遊技者が獲得した遊技球の数に基づいて遊技価値に換算することができる。以下、図１及び図２を参照しつつパチンコ機１の全体構成について説明する。
【００４２】
〔全体構成〕
パチンコ機１は、その本体（枠体）として主に外枠ユニット２、一体扉ユニット４及び内枠アセンブリ７（プラ枠、遊技機枠）を備えている。遊技者に相対する正面からみて、その最も前面側には一体扉ユニット４が位置している。一体扉ユニット４の背面側（奥側）には内枠アセンブリ７が位置しており、内枠アセンブリ７の外側を囲むようにして外枠ユニット２が配置されている。
【００４３】
外枠ユニット２は、木材及び金属材を縦長の矩形状に組み合わせた構造体であり、この外枠ユニット２は、遊技場内の島設備（図示されていない）に対してねじ等の締結具を用いて固定されるものである。なお、縦長矩形状の外枠ユニット２において、上下の短辺に相当する部位には木材が用いられており、左右の長辺に相当する部位には金属材が用いられている。
【００４４】
一体扉ユニット４は、その下部位置に受け皿ユニット６が一体化された構造である。一体扉ユニット４及び内枠アセンブリ７は、外枠ユニット２を介して島設備に取り付けられ、これらはそれぞれ図示しないヒンジ機構を介して開閉式に動作する。図示しないヒンジ機構の開閉軸線は、パチンコ機１の正面からみて左側端部に沿って垂直方向に延びている。
【００４５】
図１中の正面からみて内枠アセンブリ７の右側縁部には、その内側に統一錠ユニット（図示されていない）が設けられている。また、これに対応して一体扉ユニット４及び外枠ユニット２の右側縁部（裏側）にも、それぞれ図示しない施錠具が設けられている。図１及び図２に示されるように、外枠ユニット２に対して一体扉ユニット４及び内枠アセンブリ７が閉じた状態で、その裏側にある統一錠ユニットは施錠具とともに一体扉ユニット４及び内枠アセンブリ７の開放を不能にしている。
【００４６】
また、内枠アセンブリ７の右側縁部には鍵穴付きのシリンダ錠６ａが設けられている。例えば、遊技場の管理者が専用キーを鍵穴に差し込んでシリンダ錠６ａを時計回りに捻ると、統一錠ユニットが作動して内枠アセンブリ７とともに一体扉ユニット４の開放が可能な状態となる。これら全体を外枠ユニット２から前面側へ開放する（扉のように動かす）と、前面側にてパチンコ機１の裏側が露出することになる。
【００４７】
一方、シリンダ錠６ａを反時計回りに捻ると、内枠アセンブリ７は施錠されたままで一体扉ユニット４の施錠だけが解除され、一体扉ユニット４が開放可能となる。一体扉ユニット４を前面側へ開放すると遊技盤ユニット（図示していない）が直に露出し、この状態で遊技場の管理者が盤面内での球詰まり等の障害を取り除くことができる。なお、一体扉ユニット４を開放すると、受け皿ユニット６も一緒に前面側へ開放される。
【００４８】
また、パチンコ機１は、遊技用ユニットとして上記の遊技盤ユニットを備えている。遊技盤ユニットは、一体扉ユニット４の背後（内側）で上記の内枠アセンブリ７に支持されている。遊技盤ユニットは、例えば一体扉ユニット４を前面側へ開放した状態で内枠アセンブリ７に対して着脱可能である。一体扉ユニット４には、その中央部に縦長形状の窓４ａが形成されており、この窓４ａ内にガラスユニット（参照符号なし）が取り付けられている。ガラスユニットは、例えば窓４ａの形状をカバーできる大きさにカットされた２枚の透明板（ガラス板）を組み合わせたものである。ガラスユニットは、一体扉ユニット４の裏側に図示しない取り付け具を介して取り付けられる。また、図示しない遊技盤ユニットの前面には遊技領域（盤面、遊技盤）が形成されており、この遊技領域は窓４ａを通じて前面側から遊技者に視認可能である。一体扉ユニット４が閉じられると、ガラスユニットの内面と盤面との間に遊技球が流下できる空間が形成される。
【００４９】
〔球皿の構成〕
受け皿ユニット６は、全体的に一体扉ユニット４から前面側へ突出した形状をなしており、その上面に上皿６ｂ（球皿）が形成されている。この上皿６ｂには、遊技者に貸し出された遊技球（貸球）や入賞により獲得した遊技球（賞球）を貯留することができる。また、受け皿ユニット６には、上皿６ｂの下段位置に下皿６ｃが形成されている。この下皿６ｃには、上皿６ｂが満杯の状態でさらに払い出された遊技球が貯留される。なお、本実施形態のパチンコ機１はいわゆるＣＲ機（ＣＲユニットに接続する機種）であり、遊技者が借り受けた遊技球は、賞球とは別に裏側の払出装置ユニットから受け皿ユニット６（上皿６ｂ又は下皿６ｃ）に払い出される。
【００５０】
受け皿ユニット６の上面には貸出操作部１４が設けられており、この貸出操作部１４には、球貸ボタン１０及び返却ボタン１２が配置されている。図示しないＣＲユニットに有価媒体（例えば磁気記録媒体、記憶ＩＣ内蔵媒体等）を投入した状態で球貸ボタン１０を遊技者が操作すると、予め決められた度数単位（例えば５度数）に対応する個数（例えば１２５個）分の遊技球が貸し出される。このため貸出操作部１４の上面には度数表示部（図示されていない）が配置されており、この度数表示部には、ＣＲユニットに投入されている有価媒体の残存度数が表示される。なお、遊技者は、返却ボタン１２を操作することで、度数が残存している有価媒体の返却を受けることができる。本実施形態ではＣＲ機を例に挙げているが、パチンコ機１はＣＲ機とは別の現金機（ＣＲユニットに接続されない機種）であってもよい。
【００５１】
また、受け皿ユニット６の上面には、上段位置にある上皿６ｂ（遊技球を貯留する貯留部）の手前に上皿球抜きボタン６ｄが設置されており、そして下皿６ｃの手前でその中央部には下皿球抜きボタン６ｅが設置されている。遊技者は上皿球抜きボタン６ｄを例えば押し込み操作することで、上皿６ｂに貯留された遊技球を下皿６ｃ（遊技球を貯留する貯留部）へ流下させることができる。また、遊技者は、下皿球抜きボタン６ｅを例えば押し込み操作することで、下皿６ｃに貯留された遊技球を下方へ落下させて排出することができる。排出された遊技球は、例えば図示しない球受け箱等に受け止められる。
【００５２】
受け皿ユニット６の右下部には、ハンドルユニット１６が設置されている。遊技者はこのハンドルユニット１６を操作することで発射制御基板セット（図示されていない）を作動させ、遊技領域に向けて遊技球を発射する（打ち込む）ことができる（発射装置）。発射された遊技球は、遊技盤ユニットの下縁部から左側縁部に沿って上昇し、図示しない外バンドに案内されて遊技領域内に放り込まれる。遊技領域内には多数の障害釘や風車（いずれも図示されていない）等が配置されており、放り込まれた遊技球は障害釘や風車により誘導・案内されながら遊技領域内を流下する。
【００５３】
〔枠体前面の構成〕
一体扉ユニット４には、演出用の構成要素として左トップレンズユニット４７及び右上電飾ユニット４９が設置されている。このうち左トップレンズユニット４７には、ガラス枠トップランプ４６及び左側のガラス枠装飾ランプ４８が組み込まれており、右上電飾ユニット４９にはガラス枠右側電飾ユニット５０が組み込まれている。その他にも一体扉ユニット４には、ガラス枠装飾ランプ４８及び右上電飾ユニット４９の下方にそれぞれ連なるようにして左右のガラス枠装飾ランプ５２が設置されており、これらガラス枠装飾ランプ５２は、一体扉ユニット４の左右縁部に沿って延びている。一体扉ユニット４において、ガラス枠トップランプ４６や左右のガラス枠装飾ランプ４８，５２等は、ガラスユニットを取り巻くようにして配置されている。また、ガラス枠右側電飾ユニット５０は、一体扉ユニット４の右側縁部を仕切るようにして縦長に配置されている。
【００５４】
上述した各種ランプ４６，４８，５２やガラス枠右側電飾ユニット５０は、例えば内蔵するＬＥＤの発光（点灯や点滅、輝度階調の変化、色調の変化等）により演出を実行する。また、一体扉ユニット４の上部において、左トップレンズユニット４７及び右上電飾ユニット４９にはそれぞれガラス枠上スピーカ（図中参照符号なし）が組み込まれている。一方、受け皿ユニット６の右下位置には下部スピーカ５６が組み込まれている。ガラス枠上スピーカ及び下部スピーカ５６は、効果音やＢＧＭ、音声等（音響全般）を出力して演出を実行するものである。
【００５５】
〔操作部材〕
また、受け皿ユニット６の中央には、上皿６ｂの前面側に突出するようにしてステアリングユニット６０が設置されている。ステアリングユニット６０は、例えば自動車のステアリングホイールを模した形態の演出ハンドル６２を有しており、演出ハンドル６２の中央にはホーンスイッチを模した形態のプッシュボタン６４が設けられている。また、プッシュボタン６４の周囲には、リング状の操作ダイヤル（図中参照符号なし）が回転可能に設けられている。
【００５６】
ステアリングユニット６０は、演出上で示される様々な場面で操作（例えば回転操作、押し込み操作等）を受け付けることが可能であり、演出上のある場面では演出ハンドル６２が遊技者によって左右方向に回転操作されたり、別の場面ではプッシュボタン６４が押し込み操作されたり、あるいは、操作ダイヤルが回転操作されたりする。遊技者は、各種の態様でステアリングユニット６０を操作することにより、演出内容（例えば液晶表示器に表示される背景画面）を切り替えたり、例えば図柄の変動中や大当りの確定表示中、あるいは大当り遊技中に何らかの演出（予告演出、確変昇格演出、大役中の昇格演出等）を発生させたりすることができる。
【００５７】
また、プッシュボタン６４の両側にはそれぞれ、ステアリングスポークを模した部位に左右一対の音量調節スイッチ６２ａ，６２ｂが設けられている。遊技者は左右の音量調節スイッチ６２ａ，６２ｂを押し込み操作することで、例えば演出上で出力される音の大きさ（音量）を調節することができる。
【００５８】
このように、ステアリングユニット６０（操作部材）は、中央に配置されるプッシュボタン６４（第１操作体）、及び、プッシュボタン６４から所定の間隔（数センチ程度の間隔）を隔ててプッシュボタン６４の周囲に配置される演出ハンドル６２（第２操作体）を含んでいる。
そして、プッシュボタン６４及び演出ハンドル６２は、正面視で上皿６ｂと一部が重なる位置に配置されているため、ステアリングユニット６０は大型のユニットとなる。
【００５９】
その他に受け皿ユニット６の上面には、貸出操作部１４に隣接して方向キー６６が設置されている。方向キー６６は上下左右の方向を示す４つのキースイッチを十字形状に配列したものであり、各方向別のキースイッチは独立して押し込み操作可能である。遊技者は演出上の様々な場面で方向キー６６を押し込み操作することで、液晶表示器の画面上に表示されるカーソル等を任意に移動させることができる。
【００６０】
図３及び図４は、受け皿ユニット６の部位を拡大して示した斜視図である。なお、これら図３，４において、一体扉ユニット４については一部の構成が取り除かれている。
【００６１】
〔上皿の構成〕
上記のように上皿６ｂ（球皿）には、図示しない払出装置ユニットから払い出された遊技球（貸し球、賞球）が貯留されるものとなっており、そのため受け皿ユニット６には払出口６ｆが形成されている。払出口６ｆは、受け皿ユニット６の左上位置で前面側に開口しており、その奥（内枠アセンブリ７の内部）では図示しない賞球通路及びオーバーフロー通路に通じている。図示しない払出装置ユニットから払い出された遊技球は賞球通路を通じて流下し、上皿６ｂが満杯でなければ、遊技球はそのまま払出口６ｆから上皿６ｂ内に流入する。なお、上皿６ｂが満杯の状態であれば、賞球通路を流下してきた遊技球はオーバーフロー通路に流入し、下皿６ｃに払い出される。
【００６２】
一方で、上皿６ｂに貯留された遊技球は、上皿６ｂ内を転動しつつ図示しない発射装置に向けて案内されるものとなっており、そのため受け皿ユニット６には取込口６ｇが形成されている。取込口６ｇは、受け皿ユニット６の右上位置で中央方向に開口しており、その奥（受け皿ユニット６の内部）では図示しない球送り装置及び下皿６ｃへの球抜き通路に通じている。通常、取込口６ｇから取り込まれた遊技球は球送り装置に送られ、さらに球送り装置から図示しない発射装置に供給される。また、上皿球抜きボタン６ｄが押し込み操作された場合、取込口６ｇから取り込まれた遊技球は図示しない球抜き通路を流下して下皿６ｃに流れ込む。
【００６３】
上皿６ｂは案内面１０６を有しており、この案内面１０６は上皿６ｂの「底板」に相当する。案内面１０６は払出口６ｆから取込口６ｇに向かう下り傾斜を有しており、このため上皿６ｂに貯留された遊技球は、案内面１０６の傾斜方向に転動しつつ、取込口６ｇまで案内される。
【００６４】
また、上皿６ｂは内壁１０８及び外壁１１０を有しており、このうち内壁１０８は案内面１０６の外縁に連なって上方向に立ち上がり、案内面１０６からの遊技球の落下を防止している。外壁１１０は内壁１０８の外側を覆うことにより、上皿６ｂの外面を区画している。なお外壁１１０は、その他の構成部材とともに受け皿ユニット６の意匠面を形成している。
【００６５】
上皿６ｂ全体は、一体扉ユニット４の前面側をある程度の奥行きをもって左右方向に延びているが、ステアリングユニット６０が設けられている位置では前後方向の幅（奥行き）が狭められている。すなわち、上皿６ｂの外壁１１０は、払出口６ｆの手前では緩やかな曲面を描いて前面側に膨らんでいるが、演出ハンドル６２の握りに相当する部位（図中にディンプル模様を施す部位）の後方では奥側に窪んでおり（図中にハイライトを施す）、これにより外壁１１０と演出ハンドル６２との間には、握り操作のための適度な取り回し逃げ領域（操作空間）が確保されている。つまり、受け皿ユニット６（外壁１１０）は、演出ハンドル６２（操作部材）の設置に応じて中央部分が後方側に窪んでおり、この窪みによって演出ハンドル６２の操作空間を確保している。
【００６６】
また、案内面１０６は払出口６ｆの直前からステアリングユニット６０の後方までにかけて、ある程度に前後方向への広がりを有しているが、取込口６ｇに通じる直前の位置では溝状に狭まっている。そして案内面１０６は、この溝内にて遊技球を１列に整列させながら取込口６ｇへ案内している。なお、案内面１０６の傾斜はそのほとんどが右向きの下りであるが、溝状に狭まった案内面１０６は取込口６ｇの手前でＵターンするように屈曲されており、この屈曲した範囲内では下り傾斜が左向きに変更されている。なお、左向きに下り傾斜した先には取込口６ｇが位置している。
【００６７】
図５は、受け皿ユニット６の分解斜視図である。この図５では、外観上で正面に見えている部位を適宜に手前側に分離させた状態で受け皿ユニット６の構成を示している。図５に示されているように、上皿６ｂについては案内面１０６及び内壁１０８が一体の構造であり、これに対して外壁１１０が内壁１０８の外側を覆う構造であることが分かる。
【００６８】
また、上記のように、外壁１１０が案内面１０６の張り出しとともに手前側へ膨らんでいる位置（払出口６ｆの手前）では、これに伴って内壁１０８も手前側へ膨らんでいる。なお、外壁１１０が奥側へ窪んでいる位置（ステアリングユニット６０の後方）では、これに伴って内壁１０８も奥側へ窪んでいることが分かる。
【００６９】
ここで、図２からも明らかなように、本実施形態のパチンコ機１においては、ステアリングユニット６０の存在が特に顕著である。すなわち、本実施形態ではステアリングユニット６０が受け皿ユニット６から大きく前面側へ突出しており、それだけ前後方向でみてステアリングユニット６０の占める空間の比率が高くなっている。
【００７０】
そして、本実施形態では、このような大型のステアリングユニット６０を設置するために、その土台となる受け皿ユニット６も大型化しており、それだけ受け皿ユニット６の前方側への張り出し量も多くなっている。
【００７１】
このように、ステアリングユニット６０や受け皿ユニット６が前方側に突出すると、受け皿ユニット６の下方に球受け箱を置いた場合、球受け箱の大部分が、受け皿ユニット６の迫り出しによって隠れてしまい、球受け箱に手を挿入し難くなったり、球受け箱から遊技球を取り出し難くなる（球受け箱へのアクセス性が低下する）という問題がある。
【００７２】
そこで、本実施形態では、受け皿ユニット６に対して特殊な構造を採用することにより、このような問題点を解消している。以下、この点について説明する。
【００７３】
図６は、受け皿ユニット６の中心部分の縦断面図（図１中のＶＩ−ＶＩ線に沿う断面図）である。なお、本断面図では、主に受け皿ユニット６の周辺を示している。また、ステアリングユニット６０とその他の部分とでは断面部分のハッチングを変えている。さらに、ステアリングユニット６０にはその駆動機構も含まれている。さらにまた、図中、パチンコ機１の左右方向（幅方向）をＸ方向とし、パチンコ機１の前後方向（奥行き方向）をＹ方向とし、パチンコ機１の上下方向をＺ方向としている。
【００７４】
受け皿ユニット６は、遊技盤ユニットを取り付け可能な内枠アセンブリ７の前方側（＋Ｙ方向）に配置された一体扉ユニット４の前面から、前方側に張り出して配置されている。一体扉ユニット４及び内枠アセンブリ７は本体ユニットを形成している。
ステアリングユニット６０（操作部材）は、受け皿ユニット６の前面から、前方側に張り出して配置されている。
【００７５】
そして、受け皿ユニット６は、前方下部側（前方側の下部側）の中央部分６ｘが前方側の先端６ｙよりも後方側（−Ｙ方向）に後退して配置されており、この後退によって前方側に張り出して配置されたステアリングユニット６０を配置するために前方側に張り出して配置された受け皿ユニット６の下方に形成される遊技球貯留空間７Ａの出入口７Ｂの大きさ（広さ）を拡大している。
【００７６】
すなわち、中央部分６ｘが後方側に後退して配置されていることにより、遊技球貯留空間７Ａ（球受け箱７０の内部空間）の出入口７Ｂ（球受け箱７０の壁と受け皿ユニット６の前方下端部との間に形成された遊技球の取出口及び挿入口）の大きさを拡大している。そして、このような後退が、受け皿ユニット６の特殊な構造である。
【００７７】
受け皿ユニット６は、後方側に後退している中央部分６ｘに、下部側に向かうにつれて後方側（−Ｙ方向）への後退量が増加する傾斜面６ｚを有する。
【００７８】
ステアリングユニット６０は、受け皿ユニット６に対して所定の角度（図中、θ１）を付けて配置されており、傾斜面６ｚは、受け皿ユニット６に対して所定の角度（図中、θ１）に合わせた角度（図中、θ２）で傾斜している。ここで、「合わせた角度」とは、全く同一の角度であってもよく、プラスマイナス１０度程度相違していてもよい。なお、ここでの角度は、鉛直方向を基準としている（以下、同様）。
【００７９】
また、傾斜面６ｚは、受け皿ユニット６に対して所定の角度（図中、θ１）よりも小さい角度で（図中、θ２）傾斜していることが好ましい。例えば、受け皿ユニット６が垂直に配置されているとすれば、ステアリングユニット６０は受け皿ユニット６に対して４０度程度（図中、θ１）傾けて配置されており、傾斜面６ｚは、それよりも小さい角度である３０度程度（図中、θ２）傾けて配置されていることが好ましい。
【００８０】
このように、ステアリングユニット６０が傾斜する角度（図中、θ１）よりも小さい角度（図中、θ２）で傾斜面６ｚが傾斜している設定にすれば、ステアリングユニット６０は大きく傾斜し、傾斜面６ｚはステアリングユニット６０よりも小さく傾斜することになる。これにより、ステアリングユニット６０を遊技者にとって視認しやすい角度で傾斜させることができるだけでなく、傾斜面６ｚをステアリングユニット６０と同じ角度だけ傾斜させる場合と比較して、傾斜面６ｚの先端をより後方側に近づけることができることから、傾斜面６ｚの前方側への突出を抑制することができ、球受け箱７０へのアクセス性（遊技球の取り扱い性）をより向上させることができる。
【００８１】
傾斜面６ｚの下端部は、ステアリングユニット６０の前方側の端部６２ｃをステアリングユニット６０の軸方向Ｚ１に沿う方向に延長した仮想延長線Ｚ２上に配置されている。なお、軸方向Ｚ１と仮想延長線Ｚ２とはおおむね並行である。また、図示の例では、傾斜面６ｚの下端部だけが仮想延長線Ｚ２上に配置されているが、傾斜面６ｚの全領域が仮想延長線Ｚ２上に配置されていてもよい。
【００８２】
また、傾斜面６ｚは、上方に１つの角（Ａ）を有し、下方に２つの角（Ｂ，Ｃ）を有する三角形形状を含む面によって構成されている（図１参照）。
【００８３】
図７は、本実施形態のパチンコ機にて遊技者が球受け箱に手を伸ばす際の様子を示す図である。
本実施形態のパチンコ機１では、受け皿ユニット６の前方下部側の中央部分６ｘが後方側に後退して配置されているため、球受け箱７０に手を挿入しやすく、かつ、球受け箱７０から遊技球を取り出し易くなる（球受け箱へのアクセス性が向上する）という効果が得られる。
【００８４】
また、受け皿ユニット６の傾斜面６ｚは、ステアリングユニット６０の傾斜に合わせた角度で傾斜しているため、ステアリングユニット６０の傾きと傾斜面６ｚとの傾きがおおむね一致していることになる。したがって、ステアリングユニット６０の端部６２ｃに沿って遊技者が手を伸ばしても、遊技者の手はそのまま傾斜面６ｚの傾斜によって自然に（スムーズに）球受け箱７０まで案内されることになり、球受け箱７０へのアクセス性が一層向上する。また、意匠的にも一体感のあるステアリングユニット６０と傾斜面６ｚとによる構造物を形成することができる。
【００８５】
図８は、比較例のパチンコ機にて遊技者が球受け箱に手を伸ばす際の様子を示す図である。
比較例のパチンコ機１Ａは、受け皿ユニット６の前方下部側の中央部分６ｘが後方側に後退して配置されておらず、中央部分６ｘには垂直面６ｓが形成されている。
【００８６】
このように、比較例のパチンコ機１Ａでは、受け皿ユニット６の前方下部側の中央部分６ｘが後方側に後退して配置されていないため、受け皿ユニット６の下方に形成される遊技球貯留空間７Ａの出入口７Ｃの大きさを拡大することができず、球受け箱７０に手を挿入し難く、かつ、球受け箱７０から遊技球を取り出し難くなる（球受け箱へのアクセス性が低下する）という問題がある。
【００８７】
また、比較例のパチンコ機１Ａでは、ステアリングユニット６０の端部６２ｃに沿って遊技者が手を伸ばすと、遊技者の手はそのまま垂直面６ｓにぶつかってしまうことになり、球受け箱７０へのアクセス性が低下するという問題がある。
【００８８】
図９は、受け皿ユニット付近を左斜め下方からみた斜視図である。
受け皿ユニット６は、下皿６ｃに貯留されている遊技球の貯留を解除する下皿球抜きボタン６ｅを備えている。下皿球抜きボタン６ｅは、受け皿ユニット６の中央の左下に配置されている。正面からみて、下皿球抜きボタン６ｅの右側の３分の２程度の部分（図中、複数の小円が表示されている部分）は、傾斜面６ｚに跨って配置されている。一方、下皿球抜きボタン６ｅの左側の３分の１程度の部分（図中、複数の小円が表示されていない部分）は、傾斜面６ｚに跨って配置されておらず、奥側に向かって傾斜している。そして、下皿球抜きボタン６ｅの傾斜面６ｚに跨っている部分は、傾斜面６ｚと同一平面上に配置されている。
【００８９】
このように、下皿球抜きボタン６ｅの傾斜面６ｚに跨っている部分は、傾斜面６ｚと同一平面上に配置されているため、下皿球抜きボタン６ｅの表面と傾斜面６ｚの表面とが面一の状態となる。これにより、球受け箱へのアクセス時に、不用意に下皿球抜きボタン６ｅを押下してしまうということがなくなり、下皿球抜きボタン６ｅの誤操作を回避することができるという効果が得られる。
【００９０】
以上説明したように、本実施形態によれば、以下のような効果がある。
（１）本実施形態によれば、受け皿ユニット６の前方下部側の中央部分６ｘを後方側に後退して配置しているため、受け皿ユニット６に切り欠きを設ける方式と比較して、受け皿ユニット６の大きさを極力維持することができる。そして、受け皿ユニット６の大きさを維持することにより、例えば下皿６ｃの遊技球の貯留量が減少してしまうことを軽減させることができる。
【００９１】
（２）受け皿ユニット６の前方下部側の中央部分６ｘは、切り欠きによって無くなっているのではなく、後方側に後退して存在しているため、後退して存在している受け皿ユニット６の前方下部側の中央部分６ｘに下皿球抜きボタン６ｅを取り付けることができ、無駄なスペースが形成されることを回避することができる。
【００９２】
（３）本実施形態では、大型の受け皿ユニット６に対して大型のステアリングユニット６０を設置しているため、従来機と比較して受け皿ユニット６やステアリングユニット６０は、前方側に張り出して配置されることになる。ただし、本実施形態では受け皿ユニット６の前方下部側の中央部分６ｘを後方側に後退して配置しているため、受け皿ユニット６やステアリングユニット６０を前方側に張り出して配置しても、受け皿ユニット６の下方に配置した球受け箱７０の大部分が、受け皿ユニット６の迫り出しによって隠れてしまうことがなくなる。これにより、球受け箱７０へのアクセス性が低下することを軽減することができる。
【００９３】
（４）本実施形態によれば、受け皿ユニット６の前方下部側の中央部分６ｘの後退は、単なる後退ではなく、傾斜面６ｚを利用した後退となるため、受け皿ユニット６の前方下部側の中央部分６ｘを段階的に後退させることができ、遊技者の手の出し入れがスムーズとなることから球受け箱７０へのアクセス性が向上し、受け皿ユニットに切り欠きを設ける方式と比較して、受け皿ユニット６の非後退部分との一体感も向上させることができる。
【００９４】
（５）本実施形態では、受け皿ユニット６の傾斜面６ｚは、ステアリングユニット６０の前方側の端部６２ｃをステアリングユニット６０の軸方向Ｚ１に沿う方向に延長した仮想延長線Ｚ２上に配置されているため、遊技者がステアリングユニット６０の傾斜に沿って手を伸ばした場合には、遊技者の手が傾斜面６ｚに当たることが軽減される。これにより、球受け箱７０へのアクセス性が一層向上する。
【００９５】
（６）本実施形態では、傾斜面６ｚは、上方に１つの角Ａを有し、下方に２つの角Ｂ，Ｃを有する三角形形状を含む面であるため、傾斜面６ｚの裾が広がっている形状となり、遊技者の手の挿入時は挿入方向の拡張性（進入方向の広がり具合）を向上させ、取り出し時には取り出し方向の安定性（頂点方向への案内性）を向上させることができる。
【００９６】
（７）本実施形態では、受け皿ユニット６（外壁１１０）は、演出ハンドル６２（操作部材）の設置に応じて中央部分が後方側に窪んでおり、この窪みによって演出ハンドル６２の操作空間を確保している。このように、受け皿ユニット６に対して窪みを形成しなければならないということは、ステアリングユニット６０はそれだけ大型のユニットとなる。そして、このような大型のステアリングユニット６０を配置するためには、受け皿ユニット６もそれなりに大型の受け皿ユニット６になるが、本実施形態では、受け皿ユニット６の前方下部側の中央部分６ｘを後方側に後退して配置しているため、大型の受け皿ユニット６や大型のステアリングユニット６０を前方側に張り出して配置しても、球受け箱へのアクセス性が低下することを軽減することができる。
【００９７】
本発明は上述した一実施形態に制約されることなく、種々に変形して実施することができる。一実施形態で挙げた受け皿ユニット６やステアリングユニット６０の形状や配置はあくまで例示であり、その他の形態であってもよい。また、ステアリングユニット６０とは異なる形態（例えば、レバー、グリップ等）の操作部材が設けられている場合でも本発明を適用することができる。
【００９８】
以下、上述した実施形態を変形した形態について説明する。
図１０は、受け皿ユニット６の第１変形形態について説明する図である。
上述した実施形態では、受け皿ユニット６の前方下部側の中央部分６ｘに、下部側に向かうにつれて後方側（−Ｙ方向）への後退量が増加する傾斜面６ｚを設ける例で説明したが、第１変形形態のパチンコ機１Ｂでは、受け皿ユニット６の前方下部側の中央部分６ｘに、後方側に後退する湾曲面６ｗを形成している。
【００９９】
そして、このような湾曲面６ｗを形成した場合であっても、受け皿ユニット６の前方下部側の中央部分６ｘが後方側に後退して配置されているため、球受け箱７０に手を挿入しやすく、かつ、球受け箱７０から遊技球を取り出し易くなる（球受け箱へのアクセス性が向上する）という効果が得られる。
【０１００】
また、湾曲面６ｗは、傾斜面６ｚと比較して、上方部分が急激に後退することになるため、遊技者の手の挿入時の作業性を特に向上させることができる。
【０１０１】
図１１は、受け皿ユニット６の第２変形形態について説明する図である。
上述した実施形態では、受け皿ユニット６に対するステアリングユニット６０の傾斜の角度（θ１）と、受け皿ユニット６に対する傾斜面６ｚの傾斜の角度（θ２）とを異ならせる例で説明したが、第２変形形態のパチンコ機１Ｃでは、両傾斜を同一の角度（θ１）の傾斜としている。
【０１０２】
また、第２変形形態のパチンコ機１Ｃにおいては、傾斜面６ｚは、ステアリングユニット６０の前方側の端部６２ｃをステアリングユニット６０の軸方向Ｚ１に沿う方向に延長した仮想延長線Ｚ２よりも後方側に配置されている。
【０１０３】
このようにすれば、遊技者がステアリングユニット６０の前方側の端部６２ｃの傾斜に沿って手を伸ばした場合には、遊技者の手が傾斜面６ｚに当たることがなくなり、球受け箱７０へのアクセス性を一層向上させることができる。
【符号の説明】
【０１０４】
１    パチンコ機
６    受け皿ユニット
６ｘ  受け皿ユニットの前方下部側の中央部分
６ｙ  受け皿ユニットの前方側の先端
６ｚ  傾斜面
７０  球受け箱
７Ａ  遊技球貯留空間
７Ｂ  出入口
６０  ステアリングユニット
【図１】
0006523641.tif 000002
【図２】
0006523641.tif 000003
【図３】
0006523641.tif 000004
【図４】
0006523641.tif 000005
【図５】
0006523641.tif 000006
【図６】
0006523641.tif 000007
【図７】
0006523641.tif 000008
【図８】
0006523641.tif 000009
【図９】
0006523641.tif 000010
【図１０】
0006523641.tif 000011
【図１１】
0006523641.tif 000012